(57)【要約】【課題】制御対象となるシステムまたは機器に対応した操作シートを装着することで、操作シートの種類を自動で判別し、さらに自動で必要な設定又は設定変更を行うことができるシステムコントローラを提供する。【解決手段】操作シート２に記載された設定情報又は変更情報を情報検出部４で検出し、その検出した設定情報又は変更情報を蓄積部に蓄積されているシステム情報と比較判定出力部によって比較判定出力し、制御部によって判定した判定情報にしたがった設定で、コントローラ１を動作させる。また、情報表示部８によってコントローラ１の動作状態を操作者に視覚的に通知する。【選択図】　図１
2004096396.tif 000002
【特許請求の範囲】
【請求項１】
制御対象となる被制御機器または被制御システムの制御情報を自動で設定するとともに、前記制御情報に設定の変更が必要な場合にその設定変更を自動で行うシステムコントローラであって、
制御対象となる前記被制御機器あるいは被制御システムに固有の制御すべき設定情報を記載した、又は前記設定情報についての変更すべき変更情報を記載した操作シートと、
この操作シートを保持する保持手段と、
この保持手段に保持された前記操作シートに記載のシステム制御についての前記設定情報又は前記変更情報を読取・検出する検出手段と、
前記被制御機器あるいは被制御システムに固有のシステム情報を蓄積しておく蓄積手段と、
前記検出手段が検出した前記設定情報又は前記変更情報と前記蓄積手段に蓄積されているシステム情報とを比較し判定出力する比較判定出力手段と、
前記比較判定出力手段が出力した情報にしたがって前記被制御機器あるいは被制御システムの動作制御を行う制御手段と、
この制御手段の制御内容を表示する表示手段と
を備えたことを特徴とするシステムコントローラ。
【請求項２】
前記操作シート面上に突起群を設けるとともに、前記検出手段には前記突起群の有無を検出する突起検出装置を備えたことを特徴とする請求項１に記載のシステムコントローラ。
【請求項３】
前記操作シート面上に突起群を設けるとともに、前記検出手段には前記突起群に押下されるスイッチを備えたことを特徴とする請求項１に記載のシステムコントローラ。
【請求項４】
前記操作シート面上に突起群を設けるとともに、
前記検出手段には前記突起群により開く電気的接点を備えたことを特徴とする請求項１に記載のシステムコントローラ。
【請求項５】
前記操作シート面上に導体を備えるとともに、
前記検出手段には、前記導体を電気的に検出する電極を備えたことを特徴とする請求項１記載のシステムコントローラ。
【請求項６】
前記操作シートにバーコードを記載しているとともに、
前記検出手段には、前記バーコードを光学的に検出するバーコード読取装置を備えたことを特徴とする請求項１に記載のシステムコントローラ。
【請求項７】
前記操作シート面に孔群を有するとともに、
前記検出手段には、前記孔群を光学的に検出する孔検出装置を備えたことを特徴とする請求項１に記載のシステムコントローラ。
【請求項８】
前記操作シート面に孔群を有するとともに、
前記検出手段には、外部からの自発光を前記操作シート面上の孔群で通過または反射する光を検出する光検出装置を備えたことを特徴とする請求項１又は請求項７に記載のシステムコントローラ。
【請求項９】
前記操作シート面には孔群を備えるとともに、
前記検出手段には、光発生器とこの光発生器から出射され前記孔群を通過する検出光を検出する光検出装置とを備えたことを特徴とする請求項１又は請求項７に記載のシステムコントローラ。
【発明の詳細な説明】
【０００１】
【発明の属する技術分野】
本発明は、制御対象となる被制御機器または被制御システムの制御内容を自動で行うとともに、制御の内容に設定の変更が必要な場合にその設定変更を自動で行うことができるシステムコントローラに関するものである。
【０００２】
【従来の技術】
制御対象となる機器またはシステム（被制御機器）に対して、離れた所から例えば電源のオン・オフやパワーの上昇・下降等の各種操作信号を送り出すことができるシステムコントローラが各種開発され、使用されている。そして、このシステムコントローラは、被制御機器との位置関係や距離など応じて、双方を有線や無線で接続されている。
【０００３】
従来のシステムコントローラとしては、例えば、特開平１０−３０４４７９号公報に記載されたものが知られている。即ち、従来のシステムコントローラとしては、ヒンジ結合されたケーシングおよび蓋と、スイッチなどから構成されており、蓋の開閉によってスイッチのオン・オフを切り換えることにより、操作盤の表示およびコントローラの設定動作を変更する構成のものが知られていた。
【０００４】
【発明が解決しようとする課題】
しかしながら、従来のシステムコントローラにおいては、蓋の開閉によってコントローラの設定動作を変更するため、コントローラが重量化する複数のシステムに対応した設定の変更ができない、という問題があった。
【０００５】
本発明は、上記した従来の問題を解決するものであり、制御対象となるシステムまたは機器に対応した操作シートを装着することで、操作シートの種類を自動で判別し、さらに自動で必要な設定又は設定変更を行うことができるシステムコントローラを提供することを目的とする。
【０００６】
【課題を解決するための手段】
上記課題を解決するために、本発明のシステムコントローラは、制御対象となる被制御機器または被制御システムの制御情報を自動で設定するとともに、前記制御情報に設定の変更が必要な場合にその設定変更を自動で行うシステムコントローラであって、
制御対象となる前記被制御機器あるいは被制御システムに固有の制御すべき設定情報を記載した、又は前記設定情報についての変更すべき変更情報を記載した操作シートと、
この操作シートを保持する保持手段と、
この保持手段に保持された前記操作シートに記載のシステム制御についての前記設定情報又は前記変更情報を読取・検出する検出手段と、
前記被制御機器あるいは被制御システムに固有のシステム情報を蓄積しておく蓄積手段と、
前記検出手段が検出した前記設定情報又は前記変更情報と前記蓄積手段に蓄積されているシステム情報とを比較し判定出力する比較判定出力手段と、
前記比較判定出力手段が出力した情報にしたがって前記被制御機器あるいは被制御システムの動作制御を行う制御手段と、
この制御手段の制御内容を表示する表示手段と
を備えたことを特徴としている。
【０００７】
この構成により、保持手段が操作シートを保持し、検出手段が操作シートに記載の設定情報又は変更情報を検出し、この検出した設定情報又は変更情報と記憶手段に記憶されたシステム情報を比較判定出力手段が比較判定出力し、検出した判定情報の設定で制御手段がコントローラを動作させ、制御手段の制御内容を表示手段により操作者に対して表示することが可能となる。
【０００８】
また、本発明のシステムコントローラは、前記操作シート面上に突起群を設けるとともに、前記検出手段には前記突起群の有無を検出する突起検出装置を備えた構成であってもよい。
【０００９】
この構成により、前記検出手段は前記操作シートに突起群として記載されたシステムの設定情報を、各突起検出装置によって検出することが可能となる。
【００１０】
また、本発明のシステムコントローラは、前記操作シート面上に突起群を設けるとともに、前記検出手段には前記突起群に押下されるスイッチを備えた構成であってもよい。
【００１１】
この構成により、前記検出手段は前記操作シートに突起群として記載されたシステムの設定情報を、各スイッチが押されたか否かによって検出することが可能となる。
【００１２】
また、本発明のシステムコントローラは、前記操作シート面上に突起群を設けるとともに、前記検出手段には前記突起群により開く電気的接点を備えた構成であってもよい。
【００１３】
この構成により、前記検出手段は前記操作シートに突起群として記載されたシステムの設定情報を、各接点の開閉よって検出することが可能となる。
【００１４】
また、本発明のシステムコントローラは、前記操作シート面上に導体を備えるとともに、前記検出手段には、前記導体を電気的に検出する電極を備えた構成であってもよい。
【００１５】
この構成により、前記検出手段は前記操作シートに電極群として記載されたシステムの設定情報を、電極のオン・オフよって検出することが可能となる。
【００１６】
また、本発明のシステムコントローラは、前記操作シートにバーコードを記載しているとともに、前記検出手段には、前記バーコードを光学的に検出するバーコード読取装置を備えた構成としてもよい。
【００１７】
この構成により、前記検出手段は、前記操作シートにバーコードとして記載されたシステムの設定情報を、バーコード読取装置よって光学的に検出することが可能となる。
【００１８】
また、本発明のシステムコントローラは、前記操作シート面に孔群を有するとともに、前記検出手段には、前記孔群を光学的に検出する孔検出装置を備えた構成としてもよい。
【００１９】
この構成により、前記検出手段は、前記操作シートに孔群として記載されたシステムの設定情報を、孔検出装置よって光学的に検出することが可能となる。
【００２０】
また、本発明のシステムコントローラは、前記操作シート面に孔群を有するとともに、前記検出手段には、外部からの自発光を前記操作シート面上の孔群で通過または反射する光を検出する光検出装置を備えた構成であってもよい。
【００２１】
この構成により、前記検出手段は前記操作シートに孔群として記載されたシステムの設定情報を、各光検出装置が光を検出したか否かで検出することが可能となる。
【００２２】
また、本発明のシステムコントローラは、前記操作シート面には孔群を備えるとともに、前記検出手段には、光発生器とこの光発生器から出射され前記孔群を通過する検出光を検出する光検出装置とを備えた構成であってもよい。
【００２３】
この構成により、前記検出手段は前記操作シートに孔群として記載されたシステムの設定情報を、各光発生器の発射した光を各光検出装置が検出したか否かで検出することが可能となる。
【００２４】
【発明の実施の形態】
以下、本発明の実施の形態について、図面を用いて説明する。
［第１の実施の形態］
図１及び図２は、本発明の第１の実施の形態に係るシステムコントローラ１を示すものであり、このシステムコントローラ１は、制御対象となる機器またはシステム（被制御機器）の制御を行うとともに、制御の内容に設定の変更が必要な場合にその設定を自動で行うようになっており、大略構成として、操作シート２と、以下本体１０側に設けた、保持手段である操作シート保持部３と、検出手段である情報検出部４と、表示手段である情報表示部８と、蓄積手段である情報蓄積部５（以下、図２に示す）と、比較判定出力手段である比較判定出力部６と、制御手段である制御部７とを備えている。
【００２５】
操作シート２は、被制御機器に固有の情報を記載したものであり、図１において、この操作シート２は、操作シート保持部３によって保持されている。この操作シート２は、各被制御機器ごとに異なる固有のものであり、いずれの被制御機器を制御するための操作シート２であるのかという情報と設定すべき情報（以下、これを「設定情報」とよぶ）等とを情報記載部２１に記載してある。
なお、この操作シート２については、この実施形態のような設定情報を記載したものに限定されるものではなく、例えば設定情報を変更させる必要がある場合には、その設定情報を変更させるための制御の情報（「変更情報」）等を記載してある構成のものを形成しておき、これを用いてもよい。
【００２６】
操作シート保持部３は、操作シート２をコントローラ１の本体１Ａに物理的に保持するものであり、操作シート２を操作シート保持部３に、情報検出部４と情報記載部２１とが物理的に上下重なるような配置状態でシステムコントローラに装着されている。
【００２７】
情報検出部４は、保持部３に保持された操作シート２に記載のシステムでの設定情報を検出するものであり、情報記載部２１に記載された制御対象となる個々に異なる固有のシステムまたは機器での設定情報を検出するようになっている。
【００２８】
情報蓄積部５は、各機器あるいはシステムに固有の情報及び設定を蓄積しておくためのものであり、あらかじめ制御対象となるシステムの情報およびコントローラ設定（以下、これを「システム情報」とよぶ）を必要なだけ蓄積しておくようになっている。
【００２９】
比較判定出力部６は、情報検出部４によって検出された操作シート２に記載の設定情報を、情報蓄積部５に蓄積されているシステム情報と比較し、操作シート保持部３に保持された操作シート２が何れのシステムまたは機器制御をするためのものかを判定し出力するようになっている。
【００３０】
制御部７は、比較判定出力部６が出力した情報（以下、これを「判定情報」とよぶ）にしたがって、システムコントローラ１を設定動作させるとともに、比較判定出力部６の判定の成否および判定結果を情報表示部８に表示するようになっている。
【００３１】
情報表示部８は、操作者にシステムコントローラ１の動作状態等を表示する部分であり、具体的には制御部７の制御内容、即ち比較判定出力部６の判定の成否および判定結果を表示するものであり、発光ダイオードもしくは液晶ディスプレイにより構成されている。
【００３２】
以上のように構成されたシステムコントローラ１について、図３及び図４を用いて、その動作を説明する。
図３は、本発明の第１の実施の形態に係るシステムコントロー１について、電源が投入されてから動作を開始するまでのフローチャートである。
（１）初めに、システムコントローラ１の電源が投入されると（第１ステップ；Ｓ１）、制御部７は情報検出部４を動作させ、操作シート保持部３に保持されている操作シート２に記載されている設定情報を読み取る（第２ステップ；Ｓ２）。
【００３３】
（２）そして、比較判定出力部６により操作シート２が操作シート保持部３に保持されていないと判定した場合には（第３ステップ；Ｓ３）、制御部７は情報表示部８にエラー表示を行い、操作者に操作シート２が装着されていないことを注意する（第４ステップ；Ｓ４）。
【００３４】
（３）一方、比較判定出力部６により操作シート２が操作シート保持部３に保持されていると判定した場合には、次に操作シート２の種類を判定する（第５ステップ；Ｓ５）。
【００３５】
（４）そして、比較判定出力部６により操作シート２に記載の設定情報が有効でない、もしくはシステムコントローラにとって未知のものであると判定した場合には（第６ステップ；Ｓ６）、制御部７は情報表示部８にエラー表示を行い、操作者に操作シート２が無効であることを注意する。
【００３６】
（５）一方、比較判定出力部６により操作シート２に記載の設定情報がシステムコントローラ１にあらかじめ登録済みのものであると判定した場合には、制御部７はシステムコントローラ１を必要な設定で動作させるとともに、情報表示部８にシステムコントローラ１が操作シート２より読み取った設定で動作を開始したことを操作者に通知する（第７ステップ；Ｓ７）。
【００３７】
次に、情報表示部８によって操作者に通知する内容について、図４を参照しながら説明する。
即ち、例えば操作シート２なしと判定した場合には、同図（Ａ）に示すようなエラー表示を行う。また、操作シート２からの情報検出が無効であると判定した場合には、同図（Ｂ）に示すようなエラー表示を行う。一方、操作シート２が正常に情報検出できてシステムコントローラ１が動作を開始したときには、同図（Ｃ）ような表示を行うものである。
【００３８】
従って、このような本発明の第１の実施の形態により、制御対象となるシステムまたは機器に対応した操作シート２をシステムコントローラ１に装着するだけで、簡便にシステムコントローラ１を必要な設定で動作させることができる。これにより、例えば図１３に示すような従来のスイッチ類の煩雑な設定が不要となり、またシステムコントローラの誤設定を引き起こすこともない。
【００３９】
［第２の実施の形態］
次に、本発明の第２の実施の形態に係るシステムコントローラの各設定用のシートにおける固有システム情報の検出方法について、図５を参照しながら説明する。
図６において、操作シート２Ａには、制御対象とする被制御機器に合わせた固有の配置を持つ突起群２２を備えている。一方、コントローラ１Ａには、情報検出部として突起検出装置４Ａを備えている。
【００４０】
従って、操作シート２Ａをコントローラ１Ａに装着し、コントローラ１Ａに設けた突起検出装置４Ａによって操作シート２Ａの突起群２２を検出することで、設定用の操作シート２Ａに記載された固有の設定情報を検出することができる。
【００４１】
以上のように、本発明の第２の実施の形態によれば、操作シート２Ａに固有の配置を持つ突起群２２を設けることにより、従来はスイッチ類を手動で設定することにより実現していたコントローラの設定を、操作シート２Ａをコントローラ１Ａに装着するだけで自動的に行うことができる。
【００４２】
［第３の実施の形態］
次に、本発明の第３の実施の形態に係るシステムコントローラの各設定用のシートにおける固有システム情報の検出方法について、図６を参照しながら説明する。
この第３の実施の形態のシステムコントローラでは、図６（Ａ）において、検出手段として、コントローラ１Ｂにはスイッチのオン・オフを行う各スイッチから構成された突起検出用スイッチ群４Ｂを備えており、また操作シート２Ｂには、制御対象とするシステムまたは機器にあわせて固有配置の複数突起からなる絶縁突起群２３を設けている。
【００４３】
以上のように構成されたシステムコントローラについて、図６（Ｂ）を用いて検出手段の動作を説明する。
まず、突起群つき操作シート２Ｂをコントローラ１Ｂに装着することで、突起群２３は突起検出用スイッチ群４Ｂを押し下げる。すると、その突起により押し下げられた検出用スイッチがＯＮ動作を、突起がないために押し下げられなかった検出用スイッチがＯＦＦ動作をすることにより、設定用の操作シート２Ｂに記載された固有の設定情報を検出することができる。
【００４４】
以上のように、本発明の第３の実施の形態によれば、システムコントローラの検出手段として、検出用スイッチ群４Ｂを用い、操作シート２Ｂに固有の配置を持つ突起群を設けることにより、従来はスイッチ類を手動で設定することにより実現していたシステムコントローラの設定を、操作シート２Ｂをコントローラ１Ｂに装着するだけで、自動的におこなうことができる。
【００４５】
［第４の実施の形態］
次に、本発明の第４の実施の形態に係るシステムコントローラの各設定用のシートにおける固有システム情報の検出方法について、図７を参照しながら説明する。
この第４の実施の形態のシステムコントローラでは、図７（Ａ）において、検出手段として、突起検出用電極群４Ｃには各電極を用いており、また操作シート２Ｃには、制御対象とするシステムまたは機器にあわせて固有配置の複数突起からなる絶縁突起群２４を設けている。
【００４６】
以上のように構成されたシステムコントローラについて、図７（Ｂ）を用いて検出手段の動作を説明する。
まず、操作シート２Ｃをコントローラ１Ｃに装着することで、突起群２４は突起検出用電極群４Ｃを押し開く。すると、この突起により押し開かれた検出用電極はＯＮ動作を、閉状態の検出用電極はＯＦＦ動作をすることにより、設定用の操作シート２Ｃに記載された固有の設定情報を検出することができる。
【００４７】
以上のように本発明の第４の実施の形態によれば、システムコントローラの検出手段として、検出用電極群４Ｃを用い、操作シート２Ｃに固有の配置を持つ絶縁突起群を設けることにより、従来はスイッチ類を手動で設定することにより実現していたシステムコントローラの設定を、操作シート２Ｃをコントローラ１Ｃに装着するだけで自動的におこなうことができる。
【００４８】
［第５の実施の形態］
次に、本発明の第５の実施の形態に係るシステムコントローラの各設定用のシートにおける固有システム情報の検出方法について、図８を参照しながら説明する。
この第５の実施の形態のシステムコントローラでは、図８（Ａ）において、検出手段として、電極群４Ｄには各電極を設けており、また操作シート２Ｄには、制御対象とする被制御システムまたは被制御機器にあわせて固有配置の複数導体を持つ導体群２５から構成されている。
【００４９】
以上のように構成されたシステムコントローラについて、図８（Ｂ）を用いて検出手段の動作を説明する。
まず、導体群つき操作シート２Ｄをコントローラ１Ｄに装着することで、電極群４Ｄは導体群に接触または非接触の状態となる。そして、導体に接触した電極がＯＮ動作を、非接触の電極がＯＦＦ動作をすることにより、設定用の操作シート２Ｄに記載された固有の設定情報を検出することができる。
【００５０】
以上のように本発明の第５の実施の形態によれば、システムコントローラの検出手段として、検出用電極群４Ｄを用い、操作シート２Ｄに固有の配置を持つ導体群２５を設けることにより、従来はスイッチ類を手動で設定することにより実現していたシステムコントローラの設定を、操作シート２Ｄをコントローラ１Ｄに装着するだけで自動的におこなうことができる。
【００５１】
［第６の実施の形態］
次に、本発明の第６の実施の形態に係るシステムコントローラの各設定用のシートにおける固有システム情報の検出方法について、図９を参照しながら説明する。
この第６の実施の形態のシステムコントローラでは、図９（Ａ）において、検出手段として、バーコード読み取り装置４Ｅを備えており、また操作シート２Ｅには、制御対象とする被制御システムまたは被制御機器にあわせて固有配置のバーコード２６を設けている。
【００５２】
以上のように構成されたシステムコントローラについて、図９（Ｂ）を用いて検出手段の動作を説明する。
まず、突起群つき操作シート２Ｅをコントローラ１Ｅに装着することで、バーコード読み取り装置４Ｅはバーコード２６を読み取ることができる。このバーコード２６の読み取り動作により、設定用の操作シート２Ｅに記載された固有の設定情報を検出することができる。
【００５３】
以上のように本発明の第６の実施の形態によれば、システムコントローラの検出手段として、バーコード読み取り装置４Ｅを用い、操作シート２Ｅに固有のバーコード２６を設けることにより、従来はスイッチ類を手動で設定することにより実現していたシステムコントローラの設定を、操作シート２Ｅをコントローラに装着するだけで自動的におこなうことができる。
【００５４】
［第７の実施の形態］
次に、本発明の第７の実施の形態に係るシステムコントローラの各設定用のシートにおける固有システム情報の検出方法について、図１０を参照しながら説明する。
この第７の実施の形態のシステムコントローラでは、図１０において、操作シート２Ｆには、制御対象とする被制御システムまたは被制御機器に固有の配置を持つ孔群２７が設けられている。また、コントローラ１Ｆには、孔検出装置４Ｆを備えている。
【００５５】
このような構成により、操作シート２Ｆをコントローラ１Ｆに装着し、このコントローラ１Ｆに設けた孔検出装置４Ｆによって操作シート２Ｆの孔群２７を検出することで、設定用の操作シート２Ｆに記載された固有の設定情報を検出することができる。
【００５６】
以上のように、本発明の第７の実施の形態によれば、操作シート２Ｆに固有の配置を持つ孔群２７を設けることにより、従来はスイッチ類を手動で設定することにより実現していたシステムコントローラの設定を、操作シート２Ｆをコントローラ１Ｆに装着するだけで自動的におこなうことができる。
【００５７】
［第８の実施の形態］
次に、本発明の第８の実施の形態に係るシステムコントローラの各設定用のシートにおける固有システム情報の検出方法について、図１１を参照しながら説明する。
この第８の実施の形態のシステムコントローラでは、図１１（Ａ）において、検出手段として、コントローラ１Ｇに孔検出用光検出装置群４Ｇを備えており、また操作シート２Ｇには、制御対象とする被制御システムまたは被制御機器に固有の配置を持つ孔群２８を設けている。
【００５８】
以上のように構成されたシステムコントローラについて、図１１（Ｂ）を用いて検出手段の動作を説明する。
まず、孔群２８つきの操作シート２Ｇをコントローラ１Ｇに装着することで、外部光、例えば光源４Ｈから出射する特定波長の光が孔群２８を通過して孔検出用光検出装置群４Ｇに到達する。そして、孔のある部分に対応した光検出装置がＯＮ動作を、孔のない部分に対応した光検出装置がＯＦＦ動作をすることにより、設定用の操作シート２Ｇに記載された固有の設定情報を検出することができる。
【００５９】
以上のように、本発明の第８の実施の形態によれば、システムコントローラの検出手段として、コントローラ１Ｇに光検出装置群４Ｇを用いるとともに、操作シート２Ｇに固有の配置を持つ孔群４Ｇを設けることにより、従来はスイッチ類を手動で設定することにより実現していたシステムコントローラの設定を、操作シート２Ｇをコントローラ１Ｇに装着するだけで、自動的におこなうことができる。
【００６０】
［第９の実施の形態］
次に、本発明の第９の実施の形態に係るシステムコントローラの各設定用のシートにおける固有システム情報の検出方法について、図１２を参照しながら説明する。
この第９の実施の形態のシステムコントローラでは、図１２（Ａ）において、検出手段として、コントローラ１Ｈに孔検出用光検出装置群４Ｊおよび光発生器４Ｉを備えており、また操作シート２Ｈには、制御対象とする被制御システムまたは被制御機器にあわせて固有の配置を持つ孔群２９を設けている。
【００６１】
以上のように構成されたシステムコントローラについて、図１２（Ｂ）を用いて検出手段の動作を説明する。
まず、孔群２９つき操作シート２Ｈをコントローラ１Ｈに装着し、光発生器４Ｉから特定波長の光を出射することで、前記光発生器４Ｉから発射された光は操作シート２Ｈの孔群２９を通過するか、操作シート２Ｈの孔のない部分で反射する。そして、この反射光は、孔検出用光検出装置群４Ｊに到達する。
【００６２】
このようにして、孔開き部分に対応した光検出装置がＯＦＦ動作を、孔のない部分に対応した光検出装置がＯＮ動作をすることにより、設定用の操作シート２Ｈに記載された固有の設定情報を検出することができる。
【００６３】
以上のように、本発明の第９の実施の形態によれば、システムコントローラの検出手段として、コントローラ１Ｈに光検出装置群４Ｊおよび光発生装置４Ｉを設ける一方、操作シート２Ｈには固有の配置を持つ孔群２９を設けることにより、従来はスイッチ類を手動で設定することにより実現していたコントローラの設定を、操作シート２Ｈをコントローラ１Ｈに装着するだけで自動的におこなうことができる。
【００６４】
【発明の効果】
以上説明したように、本発明のシステムコントローラによれば、情報検出手段は操作シートに記載された設定情報又は変更情報を検出し、比較判定出力手段がシステムの種類を判定し、制御手段がコントローラを必要な設定で動作させることができるので、スイッチ類などによる煩雑な設定をすることなく、システムコントローラを自動で設定又は設定変更することができる。
【図面の簡単な説明】
【図１】本発明の第１の実施の形態に係るシステムコントローラの概略構成を示す斜視図である。
【図２】本発明の第１の実施の形態に係るシステムコントローラの電気的構成をブロック図である。
【図３】本発明の第１の実施の形態に係るシステムコントローラの動作説明のためのフローチャートである。
【図４】（Ａ）は本発明の第１の実施の形態に係るシステムコントローラの表示部での一表示態様である「操作シートなしエラー」を示す説明図、（Ｂ）は本発明の第１の実施の形態に係るシステムコントローラの表示部での他の表示態様である「操作シート無効」を示す説明図、（Ｃ）は本発明の第１の実施の形態に係るシステムコントローラの表示部での他の表示態様である「動作ＯＫ」を示す説明図である。
【図５】本発明の第２の実施の形態に係るシステムコントローラの検出手段および操作シートの構成を示す説明図である。
【図６】（Ａ）は本発明の第３の実施の形態に係るシステムコントローラの検出手段および操作シートの構成を示す説明図、（Ｂ）は本発明の第３の実施の形態に係るシステムコントローラの情報検出方法を示す説明図である。
【図７】（Ａ）は本発明の第４の実施の形態に係るシステムコントローラの検出手段および操作シートの構成を示す説明図、（Ｂ）は本発明の第４の実施の形態に係るシステムコントローラの情報検出方法を示す説明図である。
【図８】（Ａ）は本発明の第５の実施の形態に係るシステムコントローラの検出手段および操作シートの構成を示す説明図、（Ｂ）は本発明の第５の実施の形態に係るシステムコントローラの情報検出方法を示す説明図である。
【図９】（Ａ）は本発明の第６の実施の形態に係るシステムコントローラの検出手段および操作シートの構成を示す説明図、（Ｂ）は本発明の第６の実施の形態に係るシステムコントローラの情報検出方法を示す説明図である。
【図１０】本発明の第７の実施の形態に係るシステムコントローラの検出手段および操作シートの構成を示す説明図である。
【図１１】（Ａ）は本発明の第８の実施の形態に係るシステムコントローラの検出手段および操作シートの構成を示す説明図、（Ｂ）は本発明の第８の実施の形態に係るシステムコントローラの情報検出方法を示す説明図である。
【図１２】（ａ）は本発明の第９の実施の形態に係るシステムコントローラの検出手段および操作シートの構成を示す説明図、（Ｂ）は本発明の第９の実施の形態に係るシステムコントローラの情報検出方法を示す説明図である。
【図１３】従来のシステムコントローラが有する手動設定用スイッチを示す説明図である。
【符号の説明】
１　　　システムコントローラ
１０　　本体
１Ａ〜１Ｈコントローラ
２　　　操作シート
２Ａ〜２Ｈ操作シート
２１　　情報記載部
２２　　突起群
２３　　突起群
２４　　絶縁突起群
２５　　導体群
２６　　バーコード
２７　　孔群
２８　　孔群
２９　　孔群
３　　　操作シート保持部（保持手段）
４　　　情報検出部（検出手段）
４Ａ　　突起検出装置
４Ｂ　　突起検出用スイッチ群
４Ｃ　　突起検出用電極群
４Ｄ　　導体検出用電極群
４Ｅ　　バーコード読み取り装置
４Ｆ　　孔検出装置
４Ｇ　　孔検出用検出装置
４Ｈ　　（外部）光源
４Ｉ　　光発生器
４Ｊ　　孔検出用光検出装置
５　　　情報蓄積部（蓄積手段）
６　　　比較判定出力部（比較判定出力手段）
７　　　制御部（制御手段）
８　　　情報表示部（表示手段）
【図１】
2004096396.tif 000003
【図２】
2004096396.tif 000004
【図３】
2004096396.tif 000005
【図４】
2004096396.tif 000006
【図５】
2004096396.tif 000007
【図６】
2004096396.tif 000008
【図７】
2004096396.tif 000009
【図８】
2004096396.tif 000010
【図９】
2004096396.tif 000011
【図１０】
2004096396.tif 000012
【図１１】
2004096396.tif 000013
【図１２】
2004096396.tif 000014
【図１３】
2004096396.tif 000015